(57)【要約】【課題】傾斜した毛束のコシを十分に確保して高い清掃性、清掃実感を得ることができる歯ブラシを提供する。【解決手段】先端にヘッド部４が設けられたハンドル体２を備え、ヘッド部４の植毛面５に形成された複数の植毛穴１０に用毛の毛束１２が植設された歯ブラシ１Ａにおいて、少なくとも一つの毛束１２が植毛面５に直交する方向に対して傾斜されて植設されるとともに、毛束１２を構成する用毛の断面形状が、長径方向と短径方向とを有する異形形状とされ、毛束１２の傾斜方向と用毛の長径方向とが一致するようにした。【選択図】図１
2014204788.tif 000002
【特許請求の範囲】
【請求項１】
先端にヘッド部が設けられたハンドル体を備え、前記ヘッド部の植毛面に形成された複数の植毛穴に用毛の毛束が植設された歯ブラシにおいて、
少なくとも一つの前記毛束が前記植毛面に直交する方向に対して傾斜されて植設されるとともに、
前記毛束を構成する前記用毛の断面形状が、長径方向と短径方向とを有する異形形状とされ、前記毛束の傾斜方向と前記用毛の長径方向とが一致していることを特徴とする歯ブラシ。
【請求項２】
前記毛束は、
前記植毛穴に平板状の平線で折り返した前記毛束が植設され、
前記平線が、該毛束の傾斜方向に沿って延びるよう設けられていることを特徴とする請求項１に記載の歯ブラシ。
【請求項３】
前記毛束の傾斜方向が、前記ハンドル体の軸線方向に沿っていることを特徴とする請求項１または２に記載の歯ブラシ。
【請求項４】
前記ハンドル体の前記軸線方向において互いに前後する少なくとも二つの前記毛束が、その傾斜方向を互いに異ならせていることを特徴とする請求項３に記載の歯ブラシ。
【請求項５】
前記毛束の傾斜方向が、前記ハンドル体の軸線に直交する方向に沿っていることを特徴とする請求項１または２に記載の歯ブラシ。
【発明の詳細な説明】
【技術分野】
【０００１】
本発明は、歯ブラシに関する。
【背景技術】
【０００２】
口腔内清掃器具である歯ブラシにおいては、最も必要な機能である歯垢除去効果を高めるために、用毛を束ねた毛束の配列に工夫がなされてきた。基本的な歯ブラシにおける毛束の配列としては、均一な直径の毛束が碁盤目状又は千鳥状に植設されたものが知られている。
【０００３】
このような歯ブラシにおいて、歯間・歯頸部の清掃性を向上させるためには、狭い隙間に毛先が届くように、用毛の毛先を先鋭化したり、毛束の縮径化、ブラシ部に山切りなどの凹凸を形成したりすることが一般的に行われている。
【０００４】
また、特許文献１には、菱形断面の用毛を束ねた菱形毛束を、植毛台の幅方向または長手方向の中心部に向けて傾斜させた歯ブラシが提案されている。この歯ブラシによれば、有効に歯垢除去を行える。
【０００５】
特許文献２には、植毛穴に毛束が平線を介して２つ折り状態で植毛され、平線の方向を歯ブラシの幅方向に対して傾斜させるとともに、歯ブラシの幅方向に隣り合う毛束同士の先端側が近づくように毛束を傾斜させた歯ブラシが提案されている。この歯ブラシによれば、歯ブラシの水洗時における通水性を高めるとともに、有効に歯垢除去を行える。
【先行技術文献】
【特許文献】
【０００６】
【特許文献１】特開２００６−１３００１２号公報
【特許文献２】特開２００４−１１３６１４号公報
【発明の概要】
【発明が解決しようとする課題】
【０００７】
しかし、仮に傾斜により毛先が進入しても、汚れを落とすのに必要な毛束のコシ（毛腰）を確保できず、十分な歯垢除去が行えないことがある。
そこでなされた本発明の目的は、傾斜した毛束のコシを十分に確保して高い清掃性、清掃実感を得ることのできる歯ブラシを提供することである。
【課題を解決するための手段】
【０００８】
本発明は、上記課題を解決するため、以下の手段を採用する。
すなわち、本発明は、先端にヘッド部が設けられたハンドル体を備え、前記ヘッド部の植毛面に形成された複数の植毛穴に用毛の毛束が植設された歯ブラシにおいて、少なくとも一つの前記毛束が前記植毛面に直交する方向に対して傾斜されて植設されるとともに、前記毛束を構成する前記用毛の断面形状が、長径方向と短径方向とを有する異形形状とされ、前記毛束の傾斜方向と前記用毛の長径方向とが一致していることを特徴とする。
また、前記毛束は、前記植毛穴に平板状の平線で折り返した前記毛束が植設され、前記平線が、該毛束の傾斜方向に沿って延びるよう設けられているのが好ましい。
前記毛束の傾斜方向が、前記ハンドル体の軸線方向に沿っていることが好ましい。
前記ハンドル体の前記軸線方向において互いに前後する少なくとも二つの前記毛束が、その傾斜方向を互いに異ならせてもよい。
前記毛束の傾斜方向が、前記ハンドル体の軸線に直交する方向に沿っているようにしてもよい。
【発明の効果】
【０００９】
本発明の歯ブラシによれば、毛束のコシを十分に確保して高い清掃性、清掃実感を得ることができる。
【図面の簡単な説明】
【００１０】
【図１】本発明の第一の実施形態を示す歯ブラシのヘッド部の平面図である。
【図２】本発明の第一の実施形態を示す歯ブラシのヘッド部の側面図である。
【図３】毛束の植設部の断面図である。
【図４】毛束の平面図である。
【図５】本実施形態にかかる歯ブラシを刷掃方向に移動させたときの状態を示す側面図である。
【図６】本実施形態にかかる歯ブラシを、図５とは反対方向の刷掃方向に移動させたときの状態を示す側面図である。
【図７】本発明の第二の実施形態を示す歯ブラシのヘッド部の平面図である。
【図８】本発明の第二の実施形態を示す歯ブラシのヘッド部の側面図である。
【図９】本実施形態にかかる歯ブラシを刷掃方向に移動させたときの状態を示す側面図である。
【図１０】本発明の第三の実施形態を示す歯ブラシのヘッド部の平面図である。
【図１１】本発明の第三の実施形態を示す歯ブラシのヘッド部を先端部側から見た図である。
【図１２】本発明の第三の実施形態を示す歯ブラシを使用している状態を示している図である。
【発明を実施するための形態】
【００１１】
（第一の実施形態）
本発明の第一の実施形態にかかる歯ブラシについて、以下に図面を参照して説明する。図１は、本発明の一実施形態にかかる歯ブラシ１Ａのヘッド部を示す平面図であり、図２は、本発明の一実施形態にかかる歯ブラシ１Ａのヘッド部の側面図、図３は毛束の植設部の断面図である。
【００１２】
図１、図２に示すように、歯ブラシ１Ａは、ハンドル体２を備えるものであり、ハンドル体２は、長尺状の把持部（不図示）と、該把持部の先端に設けられたヘッド部４とで概略構成されるものである。
【００１３】
ヘッド部４は平面視略矩形状とされ、任意の面が、毛束１２を植毛する植毛面５とされたものである。植毛面５には、複数の有底状の植毛穴１０が例えば千鳥状に配列されて形成され、これら複数の植毛穴１０に、複数の用毛１３（図３参照）を束ねた毛束１２がそれぞれ植設されている。
ここで、植毛面５上に植設された複数の毛束１２は、ハンドル体２の長さ方向に沿った軸線Ｏに沿って複数列に配置され、各列においては、複数の毛束１２が軸線Ｏに直交するヘッド部４の幅方向に沿って並べて設けられている。そして、植毛面５において、軸線Ｏに沿った方向の中間部の前方と後方に、それぞれ第一傾斜毛束群１４Ａ、第二傾斜毛束群１４Ｂが互いに前後の列に位置して設けられている。さらに、植毛面５の軸線Ｏに沿った方向の先端部５ａと基端部５ｂ、および中間部には、それぞれ直立毛束群１４Ｃが設けられている。
【００１４】
ハンドル体２の材質は、歯ブラシ１Ａに求める剛性や機械特性等を勘案して決定でき、例えば、曲げ弾性率（ＪＩＳ Ｋ７２０３）が５００〜３０００ＭＰａの範囲にある高硬度樹脂を用いることによって、歯ブラシ１Ａに必要とされる機械特性が得られる。このような高硬度樹脂としては、例えば、ポリプロピレン（ＰＰ）、ポリエチレンテレフタレート（ＰＥＴ）、ポリシクロへキシレンジメチレンテレフタレート（ＰＣＴ）、ポリスチレン（ＰＳ）、アクリロニトリルブタジエンスチレン（ＡＢＳ）、セルロースプロピオネート（ＣＰ）、ポリアリレート、ポリカーボネート、アクリロニトリルスチレン（ＡＳ）等が挙げられ、これらを１種又は複数種用いることができる。
【００１５】
ヘッド部４の大きさは、口腔内での操作性等を勘案して決定でき、例えば、幅Ｗが１０〜１５ｍｍとされ、厚さＴが４〜８ｍｍとされる。
【００１６】
植毛穴１０の直径φは、毛束１２の直径、即ち、毛束１２の長さ方向に直交する断面の直径に応じて決定でき、例えば、φ＝1.0〜1.8ｍｍとされる。
【００１７】
第一傾斜毛束群１４Ａ、第二傾斜毛束群１４Ｂ、直立毛束群１４Ｃのそれぞれを構成する毛束１２は、図３に示すように、用毛１３を二つ折りにし、その間に挟み込まれた平線１８を植毛穴１０に打ち込むことにより植毛穴１０に植設されている
【００１８】
図１、図２に示すように、第一傾斜毛束群１４Ａ、第二傾斜毛束群１４Ｂを構成する各毛束１２においては、平線１８の長手方向の向きを、軸線Ｏに一致させている。さらに、軸線Ｏに沿った方向において互いに前後する第一傾斜毛束群１４Ａ、第二傾斜毛束群１４Ｂのうち、植毛面５の先端部５ａ側に位置する第一傾斜毛束群１４Ａは、各毛束１２が、基端部５ｂ側に向けて例えば５°程度傾斜して植設されている。また、第二傾斜毛束群１４Ｂは、各毛束１２が、先端部５ａ側に向けて例えば５°程度傾斜して植設されている。
これら第一傾斜毛束群１４Ａ、第二傾斜毛束群１４Ｂは、植毛面５からの毛丈が例えば１０ｍｍとされている。
そして、図４に示すように、第一傾斜毛束群１４Ａ、第二傾斜毛束群１４Ｂの各毛束１２を構成する用毛１３は、それぞれ断面視長方形で、その長径方向を、軸線Ｏに沿った方向に一致させている。また、この用毛１３の用毛径は、用毛１３の材質等を勘案して決定でき、例えば、８ｍｉｌ相当（１ｍｉｌ＝１／１０００ｉｎｃｈ＝０．０２５ｍｍ）とされている。さらに、用毛１３は、基部から先端に向かい漸次径が小さくなる、いわゆるテーパー形状とするのが好ましい。
【００１９】
直立毛束群１４Ｃを構成する各毛束１２においては、平線１８の長手方向の向きは、特に限定するものではなく、また各毛束１２は、植毛面５に直交して延びるよう植設されている。この直立毛束群１４Ｃの植毛面５からの毛丈は、第一傾斜毛束群１４Ａ、第二傾斜毛束群１４Ｂよりも例えば１ｍｍ低く、９ｍｍとされている。
直立毛束群１４Ｃの各毛束１２を構成する用毛１３は、断面円形のストレート形状とされ、その用毛径は、用毛１３の材質等を勘案して決定でき、例えば、８ｍｉｌとされる。
【００２０】
用毛１３の材質は、特に限定されず、例えば、６−１２ナイロン、６−１０ナイロン等のポリアミド、ＰＥＴ、ポリブチレンテレフタレート（ＰＢＴ）、ポリトリメチレンテレフタレート（ＰＴＴ）等のポリエステル、ＰＰ等のポリオレフィン、オレフィン系エラストマー、スチレン系エラストマー等の合成樹脂材料を用いることができる。また、これらの樹脂材料を複数組み合わせて用いてもよく、例えば芯鞘構造等のように、芯部と鞘部で異なる樹脂材料を用いることもできる。
【００２１】
図５に示すように、上記した構成の歯ブラシ１Ａは、軸線Ｏに沿った刷掃方向に沿って、口腔内で植毛面５の先端部５ａ側に移動させる（図５中、矢印の方向）と、先端部５ａ側に傾斜した第二傾斜毛束群１４Ｂの各毛束１２は、歯牙１００の歯間１０１の形状に沿って、歯間１０１に食い込むようにして進入する。第二傾斜毛束群１４Ｂの各毛束１２は、第一傾斜毛束群１４Ａの毛束１２の傾斜方向と同様に、基端部５ｂ側に向けて傾斜するように撓み、毛先が歯牙１００から物理的に離れるまで歯牙１００に接触し続け、歯間１０１に留まる時間を長く確保することができる。
しかも、第二傾斜毛束群１４Ｂの毛束１２は、略長方形断面の用毛１３から構成され、その長径方向が、平線１８の長手方向および毛束１２の傾斜方向に一致している。したがって、毛束１２は、軸線Ｏに一致した平線１８の長手方向および毛束１２の傾斜方向（図４中α方向）と、軸線Ｏに直交する方向（図４中β方向）とで、撓み強度が異なり、刷掃方向（図４中α方向）においては、毛束１２が撓みにくくなっている。したがって、毛束１２の毛先が歯間１０１に進入してから、物理的に歯間１０１から離れるまでの間、毛束１２はしなりにくいので、より力強く歯間の汚れを落とすことができる。
一方、第一傾斜毛束群１４Ａの毛束１２は、その傾斜がさらに強まる方向に撓むことになるが、このとき、毛束１２は、略長方形断面の用毛１３から構成され、その長径方向が、平線１８の長手方向および毛束１２の傾斜方向に一致している。したがって、第一傾斜毛束群１４Ａの毛束１２は、その傾斜がさらに強まる方向であっても、毛束１２が撓みにくく、歯牙１００の表面に毛先が押しつけられるようになっている。
【００２２】
一方、図６に示すように、歯ブラシ１Ａを軸線Ｏに沿った刷掃方向に沿って、口腔内で植毛面５の基端部５ｂ側（図６中矢印方向）に移動させるとき、第一傾斜毛束群１４Ａの毛束１２は、上記の第二傾斜毛束群１４Ｂの毛束１２と同様、歯間１０１に食い込むようにして進入した後、先端部５ａ側に向けて傾斜するように撓む。これによって、毛先が歯牙１００から物理的に離れるまで歯牙１００に接触し続け、歯間１０１に留まる時間を長く確保することができる。
このとき、第二傾斜毛束群１４Ｂの毛束１２は、その傾斜がさらに強まる方向に撓むことになるが、毛束１２は、略長方形断面の用毛１３から構成され、その長径方向が、平線１８の長手方向および毛束１２の傾斜方向に一致している。したがって、第二傾斜毛束群１４Ｂの毛束１２は、その傾斜がさらに強まる方向であっても、毛束１２が撓みにくく、歯牙１００の表面に毛先が押しつけられるようになっている。
【００２３】
本実施形態によれば、第一傾斜毛束群１４Ａ、第二傾斜毛束群１４Ｂの毛束１２が、歯ブラシ１Ａの軸線Ｏに沿った刷掃方向に沿って傾斜しているので、歯間の隙間に毛先が侵入しやすくなっている。しかも、第一傾斜毛束群１４Ａ、第二傾斜毛束群１４Ｂの各毛束１２を構成する用毛１３が断面視長方形で、その長径方向を、軸線Ｏに沿った方向に一致させているので、軸線Ｏに沿った刷掃方向においては毛束１２が撓みにくく、毛束１２のコシが増大して、良好な清掃性、清掃実感を得ることができる。
【００２４】
本実施形態によれば、第一傾斜毛束群１４Ａ、第二傾斜毛束群１４Ｂの毛束１２において、平線１８の長手方向を毛束１２の傾斜方向に一致させているので、毛束１２を植毛穴１０に打ち込むときに、平線１８の両側で、毛束１２を構成する断面長方形状の用毛１３が、平線１８と植毛穴１０との間に強く挟み込まれることによって、用毛１３の断面の長径方向が平線１８の長手方向に容易に一致する。
【００２５】
さらに、本実施形態によれば、第一傾斜毛束群１４Ａと第二傾斜毛束群１４Ｂとで、毛束１２の傾斜方向が反対向きであるので、歯ブラシ１Ａを軸線Ｏに沿った方向に沿った刷掃方向に往復動させても、いずれの方向においても、第一傾斜毛束群１４Ａと第二傾斜毛束群１４Ｂのいずれか一方の毛束１２のコシが増大するので、常に良好な清掃性、清掃実感を得ることができる。
【００２６】
（第二の実施形態）
本発明の第二の実施形態にかかる歯ブラシについて、図７〜図９を用いて説明する。なお、第一の実施形態と同一の構成には同一の符号を付してその説明を省略すると共に、主に第一の実施形態と異なる点について説明する。
図7、図８に示すように、本実施形態にかかる歯ブラシ１Ｂは、植毛面５において、軸線Ｏに沿った方向の先端部５ａ側に、それぞれ傾斜毛束群１４Ｄが設けられ、植毛面５の残部には、直立毛束群１４Ｅが設けられている。
ここで、傾斜毛束群１４Ｄは、植毛面５の先端部５ａ側の外周面に沿った４つの植毛穴１０に植設された４つの毛束１２によって構成されている。
【００２７】
傾斜毛束群１４Ｄ、直立毛束群１４Ｅのそれぞれを構成する毛束１２は、図３に示したように、用毛１３を二つ折りにし、その間に挟み込まれた平線１８を植毛穴１０に打ち込むことにより植毛穴１０に植設されている
【００２８】
傾斜毛束群１４Ｄを構成する各毛束１２においては、平線１８の長手方向の向きを、軸線Ｏに一致させている。さらに、傾斜毛束群１４Ｄは、各毛束１２が、基端部５ｂ側に向けて例えば５°程度傾斜して植設されている。
これら傾斜毛束群１４Ｄは、植毛面５からの毛丈が例えば１０ｍｍとされている。
そして、傾斜毛束群１４Ｄの各毛束１２を構成する用毛１３は、図４に示したように、それぞれ断面視長方形で、その長径方向を、軸線Ｏに沿った方向に一致させている。また、この用毛１３の用毛径は、用毛１３の材質等を勘案して決定でき、例えば、８ｍｉｌ相当とされている。さらに、用毛１３は、基部から先端に向かい漸次径が小さくなる、いわゆるテーパー形状とするのが好ましい。
【００２９】
直立毛束群１４Ｅを構成する各毛束１２においては、平線１８の長手方向の向きは、特に限定するものではなく、また各毛束１２は、植毛面５に直交して延びるよう植設されている。この直立毛束群１４Ｅの植毛面５からの毛丈は、傾斜毛束群１４Ｄよりも例えば１ｍｍ低く、９ｍｍとされている。
直立毛束群１４Ｅの各毛束１２を構成する用毛１３は、断面円形のストレート形状とされ、その用毛径は、用毛１３の材質等を勘案して決定でき、例えば、８ｍｉｌとされる。
【００３０】
上記した構成の歯ブラシ１Ｂは、奥歯を清掃する際に用いるのに適している。すなわち、奥歯を清掃する際には、口腔内の奥に歯ブラシ１Ｂを押し込んだ後、図９に示すように、歯ブラシ１Ｂを植毛面５の基端部５ｂ側に移動させる（図９中、矢印の方向）。すると、植毛面５の先端部５ａにおいて、基端部５ｂ側に傾斜した傾斜毛束群１４Ｄの各毛束１２は、歯牙１００の奥歯１０２の咬合面や遠心面に高い刷掃圧力をかけて清掃を行うことができる。
しかも、傾斜毛束群１４Ｄの毛束１２は、略長方形断面の用毛１３から構成され、その長径方向が、平線１８の長手方向および毛束１２の傾斜方向に一致している。したがって、毛束１２は、刷掃方向においては撓みにくくなっている。したがって、毛束１２により、より力強く奥歯の汚れを落とすことができ、良好な清掃性、清掃実感を得ることができる。
【００３１】
本実施形態によれば、傾斜毛束群１４Ｄの毛束１２において、平線１８の長手方向を毛束１２の傾斜方向に一致させているので、毛束１２を植毛穴１０に打ち込むときに、平線１８の両側で、毛束１２を構成する断面長方形状の用毛１３が、平線１８と植毛穴１０との間に強く挟み込まれることによって、用毛１３の断面の長径方向が平線１８の長手方向に容易に一致する。
【００３２】
（第三の実施形態）
本発明の第三の実施形態にかかる歯ブラシについて、図１０〜図１２を用いて説明する。なお、第一の実施形態と同一の構成には同一の符号を付してその説明を省略すると共に、主に第一の実施形態と異なる点について説明する。
図１０、図１１に示すように、本実施形態にかかる歯ブラシ１Ｃは、植毛面５において、軸線Ｏに直交する幅方向の両側に、それぞれ植毛面５の外周部に沿って第一傾斜毛束群１４Ｆ、第二傾斜毛束群１４Ｇが設けられ、植毛面５の幅方向中央部に、軸線Ｏに沿って直立毛束群１４Ｈが設けられている。
【００３３】
第一傾斜毛束群１４Ｆ、第二傾斜毛束群１４Ｇ、直立毛束群１４Ｈのそれぞれを構成する毛束１２は、図３に示したように、用毛１３を二つ折りにし、その間に挟み込まれた平線１８を植毛穴１０に打ち込むことにより植毛穴１０に植設されている
【００３４】
第一傾斜毛束群１４Ｆ、第二傾斜毛束群１４Ｇを構成する各毛束１２においては、平線１８の長手方向の向きを、軸線Ｏに直交する方向、つまり植毛面５の幅方向に一致させている。さらに、植毛面５の幅方向の最も外周側に位置する第一傾斜毛束群１４Ｆは、各毛束１２が、幅方向外方に向けて例えば１０°程度傾斜して植設され、第一傾斜毛束群１４Ｆの内周側に位置する第二傾斜毛束群１４Ｇは、各毛束１２が、幅方向外方に向けて例えば５°程度傾斜して植設されている。
第一傾斜毛束群１４Ｆは、植毛面５からの毛丈が例えば１０ｍｍとされ、第二傾斜毛束群１４Ｇの毛丈は例えば１１ｍｍとされている。
そして、第一傾斜毛束群１４Ｆ、第二傾斜毛束群１４Ｇの各毛束１２を構成する用毛１３は、図４に示したように、それぞれ断面視長方形で、その長径方向を、軸線Ｏに沿った方向に直交した平線１８の長手方向に一致させている。また、この用毛１３の用毛径は、用毛１３の材質等を勘案して決定でき、例えば、８ｍｉｌ相当とされている。さらに、用毛１３は、基部から先端に向かい漸次径が小さくなる、いわゆるテーパー形状とするのが好ましい。
【００３５】
直立毛束群１４Ｈを構成する各毛束１２においては、平線１８の長手方向の向きは、特に限定するものではなく、また各毛束１２は、植毛面５に直交して延びるよう植設されている。この直立毛束群１４Ｈの植毛面５からの毛丈は、第一傾斜毛束群１４Ｆ、第二傾斜毛束群１４Ｇよりも高く、例えば１２ｍｍとされている。
直立毛束群１４Ｅの各毛束１２を構成する用毛１３は、断面円形のテーパー形状とされ、その用毛径は、用毛１３の材質等を勘案して決定でき、例えば、８ｍｉｌとされる。
【００３６】
上記した構成の歯ブラシ１Ｃは、歯頸部を清掃する際に用いるのに適している。すなわち、歯ブラシ１Ｃは、幅方向中央部の直立毛束群１４Ｈの毛丈が最も高く、幅方向両側に行くにしたがい、第二傾斜毛束群１４Ｇ、第一傾斜毛束群１４Ｆの毛丈が漸次低くなっている。したがって、図１２に示すように、歯頸部１０３を清掃する際に、歯ぐきへのフィット性が高くなる。
しかも、歯ブラシ１Ｃを歯頸部に押しつけると、特に第一傾斜毛束群１４Ｆ、第二傾斜毛束群１４Ｇが外側に広がろうとするが、このときに、第一傾斜毛束群１４Ｆ、第二傾斜毛束群１４Ｇの毛束１２は、略長方形断面の用毛１３から構成され、その長径方向が、平線１８の長手方向および毛束１２の傾斜方向に一致している。したがって、第一傾斜毛束群１４Ｆ、第二傾斜毛束群１４Ｇの毛束１２は、外側に撓みにくく、適度な撓み強度を保ちながら高いフィット性を保つことができる。
また、第一傾斜毛束群１４Ｆ、第二傾斜毛束群１４Ｇの毛束１２は、歯ブラシ１Ｃの軸線Ｏに沿った方向には撓みやすいため、歯ぐきへの優しい当たり心地が実現できる。
【００３７】
本発明は、上述の実施形態に限定されない。
上述の実施形態では、各毛束１２は、その断面形状が長径方向と短径方向とを有した異形形状を有していれば良く、断面長方形状に限らず、菱形、平行四辺形、長円形、楕円形等とすることもできる。
【００３８】
上述の実施形態では、毛束１２を傾斜させているが、これには、植毛穴１０を傾斜して形成すればよい。このとき、毛束１２の傾斜角度は、植毛設備による植毛が可能であり、かつそれが歯ブラシの機能的特徴を発揮するものであれば特に制限されるものではなく、植毛面の垂直方向に対して０°から６０°までが望ましい。６０°以上の場合、刷掃圧に対して異方性による撓み強度向上効果が低くなりすぎ、本発明の効果が発揮されにくい。
【００３９】
上述の実施形態では、平線の角度は何れも毛束が傾斜する方向に対して０°としたが、−１０〜１０°、より好ましくは−５〜５°の範囲であれば同様な効果が得られる。上記範囲から外れると、毛束撓み強度の異方性と傾斜の方角が一致せず、清掃実感・刷掃実感が低下する。
【００４０】
上述の実施形態では、植毛穴１０の形状を全て円形としたが、特に制限されるものではない。略長方形、正方形のように、形成される毛束形状自体でも異方性が生じるものを選択しても良い。例えば、毛束を傾斜する方向に長軸を沿わせた略長方形穴や長円形穴を採用すれば、該方向への刷掃に対して、毛束撓み強度向上を発揮することができる。
【実施例】
【００４１】
（評価方法）
上記第一〜第三実施形態の歯ブラシについて、下記の方法で評価を行った。
「評価対象：第一の実施形態の歯ブラシ」
＜歯間への清掃実感＞
１０人のモニターが各例の歯ブラシで口腔内を清掃し、その際の「歯間への清掃実感」を下記評価基準で評価した。モニター１０人の平均点が４．０以上を◎、平均点３．０以上４．０未満を○、平均点２．０以上３．０未満を△、平均点２．０未満を×とした。
【００４２】
≪評価基準≫
５点：歯間の汚れが落ちた感触を非常に感じる。
４点：歯間の汚れが落ちた感触を強く感じる。
３点：歯間の汚れが落ちた感触を感じる。
２点：歯間の汚れが落ちた感触をあまり感じない。
１点：歯間の汚れが落ちた感触を感じない。
【００４３】
＜歯間侵入実感＞
１０人のモニターが各例の歯ブラシで口腔内を清掃し、その際の「歯間侵入実感」を下記評価基準で評価した。モニター１０人の平均点が４．０以上を◎、平均点３．０以上４．０未満を○、平均点２．０以上３．０未満を△、平均点２．０未満を×とした。
【００４４】
≪評価基準≫
５点：歯間に毛先が届く感触を非常に感じる。
４点：歯間に毛先が届く感触を強く感じる。
３点：歯間に毛先が届く感触を感じる。
２点：歯間に毛先が届く感触をあまり感じない。
１点：歯間に毛先が届く感触を感じない。
【００４５】
（実施例１、比較例１〜３）
表１に示す仕様に従い、実施例１として、図１の歯ブラシ１Ａと同様の歯ブラシを作成し、比較例１〜３として、実施例１とは表１に示す仕様が異なる歯ブラシを作成した。
得られた各例の歯ブラシについて、歯間への清掃実感、歯間侵入実感を評価し、その結果を表１に示す。
【００４６】
【表１】
2014204788.tif 000003
【００４７】
表１に示すように、本発明を適用した実施例１は、いずれも歯間への清掃実感、歯間侵入実感の評価が「◎」であった。これに対し、用毛断面形状を円形とし、平線角度を任意とした比較例１では、毛束の撓み強度が低く、歯間清掃実感も実施例１には及ばなかった。毛束の傾斜角度を０°とした比較例２では、毛先が歯間に優先して入り込むことはなく、刷掃にともなって毛束が容易に撓み、毛束が撓んだ状態で歯間に侵入するため、清掃実感も低い。平線の長手方向の角度を傾斜方向に直交させた比較例３では、刷掃方向における毛束のコシが低く、歯垢を掻きとる実感・清掃性は低い。
この結果から、本発明を適用することで、刷掃方向に沿った毛束のコシが増大して、良好な清掃性、清掃実感を得ることができることが判った。
【００４８】
「評価対象：第二の実施形態の歯ブラシ」
＜奥歯清掃実感＞
１０人のモニターが各例の歯ブラシで口腔内を清掃し、その際の「奥歯の清掃実感」を下記評価基準で評価した。モニター１０人の平均点が４．０以上を◎、平均点３．０以上４．０未満を○、平均点２．０以上３．０未満を△、平均点２．０未満を×とした。
【００４９】
≪評価基準≫
５点：奥歯の汚れが落ちた感触を非常に感じる。
４点：奥歯の汚れが落ちた感触を強く感じる。
３点：奥歯の汚れが落ちた感触を感じる。
２点：奥歯の汚れが落ちた感触をあまり感じない。
１点：奥歯の汚れが落ちた感触を感じない。
【００５０】
（実施例２、比較例４〜６）
表２に示す仕様に従い、実施例２として、図５の歯ブラシ１Ｂと同様の歯ブラシを作成し、比較例４〜６として、実施例２とは表２に示す仕様が異なる歯ブラシを作成した。
得られた各例の歯ブラシについて、奥歯の清掃実感を評価し、その結果を表２に示す。
【００５１】
【表２】
2014204788.tif 000004
【００５２】
表２に示すように、本発明を適用した実施例２は、奥歯への清掃実感の評価が「◎」であった。これに対し、用毛断面形状を円形とし、平線角度を任意とした比較例４では、毛束の撓み強度が低く、歯間清掃実感も実施例２には及ばなかった。毛束の傾斜角度を０°とした比較例５では、刷掃にともなって毛束が容易に撓み、毛束が撓んだ状態で奥歯に当たるため、清掃実感も低い。平線の長手方向の角度を軸線Ｏに沿った方向に直交させた比較例６では、刷掃方向における毛束のコシが低く、歯垢を掻きとる実感・清掃性は低い。
この結果から、本発明を適用することで、刷掃方向に沿った毛束のコシが増大して、良好な清掃性、清掃実感を得ることができることが判った。
【００５３】
「評価対象：第三の実施形態の歯ブラシ」
＜歯ぐきへのフィット感＞
１０人のモニターが各例の歯ブラシで口腔内を清掃し、その際の「歯ぐきへのフィット感」、「＜優しい当たり心地」を下記評価基準で評価した。モニター１０人の平均点が４．０以上を◎、平均点３．０以上４．０未満を○、平均点２．０以上３．０未満を△、平均点２．０未満を×とした。
【００５４】
≪評価基準≫
５点：歯ぐきへのフィット感を非常に感じる。
４点：歯ぐきへのフィット感を強く感じる。
３点：歯ぐきへのフィット感を感じる。
２点：歯ぐきへのフィット感をあまり感じない。
１点：歯ぐきへのフィット感感触を感じない。
＜優しい当たり心地＞
１０人のモニターが各例の歯ブラシで口腔内を清掃し、その際の「優しい当たり心地」を下記評価基準で評価した。モニター１０人の平均点が４．０以上を◎、平均点３．０以上４．０未満を○、平均点２．０以上３．０未満を△、平均点２．０未満を×とした。
【００５５】
≪評価基準≫
５点：歯ぐきへの優しい当たり心地を非常に感じる。
４点：歯ぐきへの優しい当たり心地を強く感じる。
３点：歯ぐきへの優しい当たり心地を感じる。
２点：歯ぐきへの優しい当たり心地をあまり感じない。
１点：歯ぐきへの優しい当たり心地を感じない。
【００５６】
（実施例３、比較例７〜９）
表３に示す仕様に従い、実施例３として、図１０の歯ブラシ１Ｃと同様の歯ブラシを作成し、比較例７〜９として、実施例３とは表３に示す仕様が異なる歯ブラシを作成した。
得られた各例の歯ブラシについて、歯ぐきへのフィット感、優しい当たり心地を評価し、その結果を表３に示す。
【００５７】
【表３】
2014204788.tif 000005
【００５８】
表３に示すように、本発明を適用した実施例３は、いずれも歯ぐきへのフィット感、優しい当たり心地の評価が「◎」であった。これに対し、用毛断面形状を円形とし、平線角度を任意とした比較例７、毛束の傾斜角度を０°とした比較例８では、毛束の撓み強度が低く、毛束が広がりやすく、歯ぐきへのフィット感も実施例３には及ばなかった。刷掃にともなって毛束が容易に撓み、毛束が撓んだ状態で歯牙に当たるため、清掃実感も低い。平線の長手方向の角度を軸線Ｏに沿った方向とし、毛束の傾斜方向に直交させた比較例９では、刷掃方向における毛束のコシが強く、優しい当たり心地が低下する。
この結果から、本発明を適用することで毛束が撓んで広がりにくく、優れた歯ぐきへのフィット感、優しい当たり心地を得ることができることが判った。
【符号の説明】
【００５９】
１Ａ、１Ｂ、１Ｃ  歯ブラシ
２  ハンドル体
４  ヘッド部
５  植毛面
５ａ  先端部
５ｂ  基端部
１０  植毛穴
１２  毛束
１３  用毛
１４Ａ  第一傾斜毛束群
１４Ｂ  第二傾斜毛束群
１４Ｃ  直立毛束群
１４Ｄ  傾斜毛束群
１４Ｅ  直立毛束群
１４Ｆ  第一傾斜毛束群
１４Ｇ  第二傾斜毛束群
１４Ｈ  直立毛束群
１８  平線
１００  歯牙
１０１  歯間
１０２  奥歯
１０３  歯頸部
【図１】
2014204788.tif 000006
【図２】
2014204788.tif 000007
【図３】
2014204788.tif 000008
【図４】
2014204788.tif 000009
【図５】
2014204788.tif 000010
【図６】
2014204788.tif 000011
【図７】
2014204788.tif 000012
【図８】
2014204788.tif 000013
【図９】
2014204788.tif 000014
【図１０】
2014204788.tif 000015
【図１１】
2014204788.tif 000016
【図１２】
2014204788.tif 000017